(57)【要約】【課題】照明器具１２の設置現場での施工作業性を向上でき、包装コストを低減し、廃材を削減できる包装装置１１を提供する。【解決手段】上面に開口部２２を有する包装箱１３内に、複数の照明器具１２を収納する。このとき、緩衝体１４によって、複数の照明器具１２の器具本体５１と反射体５２とをそれぞれ包装箱１３の開口部２２に臨む一側域と他側域とに分けて収納する。照明器具１２の設置現場では、包装箱１３内から照明器具１２の必要とする器具本体５１または反射体５２の一方を他方の収納状態のまま取り出せる。照明器具１２の設置現場での施工作業性が向上し、照明器具１２の個別包装を廃止し、包装コストを低減し、廃材を削減する。【選択図】        図１
2004168377.tif 000002
【特許請求の範囲】
【請求項１】
開口部を有する包装箱と；
包装箱内に複数の照明器具をその構成部品毎に分けるとともに構成部品毎に包装箱の開口部に臨ませて収納させる緩衝体と；
を具備していることを特徴とする包装装置。
【請求項２】
上面に開口部を有する包装箱と；
包装箱内に複数の照明器具の器具本体と反射体とをそれぞれ包装箱の開口部に臨む一側域と他側域とに分けて収納させる緩衝体と；
を具備していることを特徴とする包装装置。
【請求項３】
上面に開口部を有する包装箱と；
包装箱内に複数の照明器具の器具本体と非常用バッテリとをそれぞれ包装箱の開口部に臨む一側域と他側域とに分けて収納させる緩衝体と；
を具備していることを特徴とする包装装置。
【発明の詳細な説明】
【０００１】
【発明の属する技術分野】
本発明は、複数の照明器具を収納する包装装置に関する。
【０００２】
【従来の技術】
従来、照明器具の運搬および保管のために、器具本体と反射体とを組み合わせた照明器具を１台ずつ段ボール材などの個別包装材で個別包装している。さらに、個別包装材で個別包装した同一構造の複数の照明器具を集合させて段ボール材などの外箱材で一括包装している（例えば、特許文献１参照）。
【０００３】
外箱材で一括包装した照明器具を施工現場に運搬し、施工現場において、外箱材を開梱して個別包装した照明器具を取り出し、それぞれ個別包装材を開梱して照明器具を取り出し、各使用の終えた外箱材や個別包装材などを廃棄処分している。また、照明器具は、器具本体と反射体とを分離し、まず、照明器具を天井面に設置し、この器具本体に反射体を取り付けている。
【０００４】
また、非常用照明器具では非常用バッテリを備えているが、非常用バッテリを接続した状態では放電してしまうため、包装状態では非常用バッテリを外した状態でこの非常用バッテリを器具本体に組み合わせて一緒に個別包装することが多い。そのため、施工現場においては、個別包装を開梱して器具本体と非常用バッテリとを取り出し、器具本体に非常用バッテリを接続している。
【０００５】
【特許文献１】
特開２０００−３３５６６８号公報（第５頁、図１０）
【０００６】
【発明が解決しようとする課題】
しかしながら、器具本体と反射体とを組み合わせた状態で照明器具を包装しているため、設置現場において、器具本体と反射体とを分離してからそれぞれを設置しなければならず、施工作業に手間がかかる問題がある。特に、例えばオフィスビルなどの複数の照明器具を一度に設置する設置現場においては、まず先に、複数の照明器具の器具本体のみを天井面にそれぞれ設置し、その後、各器具本体に対して反射体をそれぞれ取り付けることが多い。そのため、器具本体から分離した複数の反射体の取り扱いに苦慮し、床面において置くか、作業の支障となる場合には別に保管しなければならず、施工作業に手間がかかる問題がある。
【０００７】
また、器具本体と反射体とを組み合わせた照明器具を個別包装していたため、個別包装材を要するとともに、梱包作業および開梱作業を要し、さらに、開梱後には個別包装材の廃棄処理を要する問題がある。特に、例えばオフィスビルなどの複数の照明器具を一度に設置する設置現場においては、個別包装された複数の照明器具を開梱しなければならず、さらに、各照明器具個別を包装していた多量の包装材を廃棄処分しなければならない問題がある。
【０００８】
また、非常用バッテリを備えた非常用照明器具においても同様の問題がある。
【０００９】
本発明は、このような点に鑑みなされたもので、照明器具の設置現場での施工作業性を向上でき、包装コストを低減し、廃材を削減できる包装装置を提供することを目的とする。
【００１０】
【課題を解決するための手段】
請求項１記載の包装装置は、開口部を有する包装箱と；包装箱内に複数の照明器具をその構成部品毎に分けるとともに構成部品毎に包装箱の開口部に臨ませて収納させる緩衝体と；を具備しているものである。
【００１１】
そして、この構成では、開口部を有する包装箱内に、緩衝体によって複数の照明器具をその構成部品毎に分けるとともに構成部品毎に包装箱の開口部に臨ませて収納させるため、照明器具の設置現場において、包装箱内から照明器具の必要とする構成部品を他の構成部品の収納状態のまま取り出すことが可能で、照明器具の設置現場での施工作業性が向上し、さらに、照明器具の個別包装の必要がなく、包装コストが低減され、廃材が削減される。
【００１２】
請求項２記載の包装装置は、上面に開口部を有する包装箱と；包装箱内に複数の照明器具の器具本体と反射体とをそれぞれ包装箱の開口部に臨む一側域と他側域とに分けて収納させる緩衝体と；を具備しているものである。
【００１３】
そして、この構成では、上面に開口部を有する包装箱内に、緩衝体によって複数の照明器具の器具本体と反射体とをそれぞれ包装箱の開口部に臨む一側域と他側域とに分けて収納させるため、照明器具の設置現場において、包装箱内から照明器具の必要とする器具本体または反射体の一方を他方の収納状態のまま取り出すことが可能で、照明器具の設置現場での施工作業性が向上し、さらに、照明器具の個別包装の必要がなく、包装コストが低減され、廃材が削減される。
【００１４】
請求項３記載の包装装置は、上面に開口部を有する包装箱と；包装箱内に複数の照明器具の器具本体と非常用バッテリとをそれぞれ包装箱の開口部に臨む一側域と他側域とに分けて収納させる緩衝体と；を具備しているものである。
【００１５】
そして、この構成では、上面に開口部を有する包装箱内に、緩衝体によって複数の照明器具の器具本体と非常用バッテリとをそれぞれ包装箱の開口部に臨む一側域と他側域とに分けて収納させるため、非常用バッテリの放電が防止され、照明器具の設置現場において、包装箱内から照明器具の必要とする器具本体または非常用バッテリの一方を他方の収納状態のまま取り出すことが可能で、照明器具の設置現場での施工作業性が向上し、さらに、照明器具の個別包装の必要がなく、包装コストが低減され、廃材が削減される。
【００１６】
【発明の実施の形態】
以下、本発明の一実施の形態を図面を参照して説明する。
【００１７】
図１ないし図４に第１の実施の形態を示し、図１は包装装置による照明器具の包装状態の側面図であり、図２は包装装置の器具本体用緩衝体の斜視図、図３は包装装置の包装箱の斜視図であり、図４は同上包装装置の包装箱を示し、（ａ）は組立状態の断面図、（ｂ）は折畳み途中または組立途中の断面図、（ｃ）は折畳み状態の断面図である。
【００１８】
図１ないし図４において、１１は包装装置で、この包装装置１１は、複数の照明器具１２を収納する折畳み可能とした包装箱１３、およびこの包装箱１３内に対して複数の照明器具１２を所定の包装形態で収納させる緩衝体１４を備えている。
【００１９】
包装箱１３は、例えばプラスチック製などの繰り返し使用に耐えうる耐久性を有する材質で、組立状態で照明器具１２を収納する収納部２１およびこの収納部２１の上面を開口する開口部２２を有する箱形に形成されており、四角形枠状すなわち長方形枠状に設けられた上側枠部２３、および上側枠部２３の外形状に対応した四角形状すなわち長方形状に設けられた底部２４を有している。
【００２０】
これら上側枠部２３および底部２４の一方の互いに対向する２辺すなわち長手方向の両端に位置する２辺は他方の辺より短い短辺２５に形成され、他方の互いに対向する２辺すなわち短手方向の両側に位置する２辺は一方の辺より長い長辺２６に形成されている。
【００２１】
上側枠部２３は、短辺２５および長辺２６にそれぞれ配置される枠部材２７，２８を有している。これら枠部材２７，２８は、断面略コ字形に形成され、下面側に開口する溝部２９，３０が形成されている。枠部材２７，２８の内側の端部より外側の端部が下方へ突出されている。
【００２２】
底部２４は、四角形板状すなわち長方形板状の底板部３１を有し、この底板部３１の両側の長辺２６に立上部３２がそれぞれ上方へ立ち上げ形成され、これら各立上部３２に複数の係止孔３３が形成されている。
【００２３】
また、上側枠部２３および底部２４における一方の互いに対向する２辺すなわち短辺２５に、一対の第１の側面部３４の上下縁部がそれぞれ折曲部３５，３６を介して上側枠部２３および底部２４の内方域つまり収納部２１側へのみ折曲可能に連結されている。この第１の側面部３４の上縁部は、枠部材２７の溝部２９に挟み込まれて固定され、この溝部２９に固定された部分より下側で例えばその固定された部分と一体に形成された薄肉状のヒンジ部などの折曲部３５を介して折曲可能に連結されている。第１の側面部３４の下縁部は、底部２４の底板部３１の短辺２５に対して例えば一体に形成された薄肉状のヒンジ部などの折曲部３６を介して折曲可能に連結されている。第１の側面部３４の中間部には折畳み時に上側枠部２３および底部２４の内方域つまり収納部２１側へのみ折り畳み可能に連結する折曲部３７が形成され、この折曲部３７は一体に形成された薄肉状のヒンジ部などで構成されている。
【００２４】
一対の各第１の側面部３４は、組立時に上側枠部２３と底部２４との間の側面に配置され、折畳み時に中間部の折曲部３７が上側枠部２３および底部２４の内方域つまり収納部２１側へ折り畳まれる。
【００２５】
また、上側枠部２３における他方の互いに対向する２辺すなわち長辺２６に、一対の第２の側面部３８の上縁部がそれぞれ折曲部３９を介して上側枠部２３の内方域つまり収納部２１側へのみ折曲可能に連結されている。この第２の側面部３８の上縁部は、枠部材２８の溝部３０に挟み込まれて固定され、この溝部３０に固定された部分より下側で例えばその固定された部分と一体に形成された薄肉状のヒンジ部などの折曲部３９を介して折曲可能に連結されている。第２の側面部３８の長辺２６に沿った幅寸法は、一対の第１の側面部３４の内側間の寸法と略同一に形成されている。
【００２６】
第２の側面部３８は、組立時に一対の第１の側面部３４の内側間で上側枠部２３と底部２４との間の側面に配置され、折畳み時に上側枠部２３の内方域つまり収納部２１側へ折り畳まれる。
【００２７】
また、一対の第２の側面部３８の下縁部に、一対の底面部４０がそれぞれ折曲部４１を介して折曲可能に設けられている。折曲部４１は例えば第２の側面部３８と一体に形成された薄肉状のヒンジ部などで形成されている。
【００２８】
一対の底面部４０は、組立時に、底部２４上に配置され、第２の側面部３８とで断面略Ｌ字形に形成される。底部２４の両側の立上部３２間の間隔とこの底部２４上に配置される一対の底面部４０を合わせた長さとが略同一に形成され、そのため、組立時に、一対の底面部４０の互いの先端４２を突き合わせた状態で底部２４上に配置される。
【００２９】
一対の底面部４０の先端４２の中央には、折畳み時に、指を差し込んで底部２４から各底面部４０を上方へ引き上げ操作するための孔部４３が形成されている。一対の底面部４０の折曲部４１側の縁部には、底部２４の複数の各係止孔３３に差し込み係止される複数の係止部４４が突設されている。
【００３０】
なお、折畳み時の第２の側面部３８と底面部４０とを合わせた長さ、すなわち第２の側面部３８の折曲部３９から底面部４０の先端４２まで長さは、上側枠部２３の両側の長辺２６間の幅より短く設定されている。
【００３１】
また、上側枠部２３の四隅には、包装箱１３を重ねる場合に、上側に重ねる包装箱１３の底部２４の四隅を嵌合する断面略Ｌ字形のガイド４５が上方に突出して取り付けられている。
【００３２】
また、両側の第２の側面部３８には包装箱１３を持ち上げ操作するための取手部４６が開口形成されている。さらに、一方の第１の側面部３４には照明器具１２の型式や運搬先などの情報を記載した標識札などを出し入れ可能とするクリアケース４７が取り付けられている。
【００３３】
そして、図３および図４（ａ）に示すように組立状態にある包装箱１３を折り畳むには、図４（ｂ）に示すように、一方の底面部４０を上方へ引き上げながら係止部４４を底部２４の係止孔３３から外し、一方の第２の側面部３８を折曲部３９で折り曲げ、これら一方の底面部４０および一方の第２の側面部３８を直線状に引き伸ばしながら上側枠部２３の内方域まで上昇移動させて折り畳む。同様にして、他方の底面部４０および他方の第２の側面部３８を、一方の底面部４０および一方の第２の側面部３８の下側に折り畳む。
【００３４】
両方の第１の側面部３４を中間部の折曲部３７で内方の収納部２１側へ折り曲げるとともに上下縁部の折曲部３５，３６で折り曲げて折り畳む。
【００３５】
第１の側面部３４を折り畳むのと同時に、図４（ｃ）に示すように、上側枠部２３と底部２４とを接近させ、包装箱１３を薄形に折り畳む。
【００３６】
一方、折畳み状態にある包装箱１３を組み立てるには、上側枠部２３を底部２４に対して引き上げ、両方の第１の側面部３４の折曲部３５，３６，３７をそれぞれ真っ直ぐにし、各第１の側面部３４を上側枠部２３と底部２４との間の短辺２５側の側面にそれぞれ配置する。
【００３７】
これら両方の第１の側面部３４間で各第２の側面部３８および各底面部４０を下方へ移動させ、係止部４４を底部２４の各係止孔３３に差し込み係止させ、各第２の側面部３８の下縁部を底部２４の立上部３２に当接させ、各第２の側面部３８を上側枠部２３と底部２４との間の長辺２６側の側面にそれぞれ配置する。一対の底面部４０の先端４２を互いに突き合わせて底部２４上に配置する。
【００３８】
包装箱１３の組立状態では、一対の第１の側面部３４を上側枠部２３と底部２４との間の側面に配置し、一対の第２の側面部３８を一対の第１の側面部３４間で上側枠部２３と底部２４との間の側面に配置し、一対の底面部４０を互いの先端４２を突き合わせて底部２４上に配置することにより、底面部４０によって第２の側面部３８を所定位置に保持し、組立状態での強度を確保でき、第２の側面部３８に対して外力が加わっても第２の側面部３８が折り畳まれるのを確実に防止できる。
【００３９】
包装箱１３の長辺２６に位置する第２の側面部３８は短辺２５に位置する第１の側面部３４より長く、強度的に弱くなりがちであるが、この第２の側面部３８に底面部４０を設けることによって、組立状態での強度を確実に確保できる。
【００４０】
包装箱１３の底部２４の底板部３１と底面部４０とが上下に重なって包装箱１３の底面部分が２重になり、組立状態での強度を確保できる。
【００４１】
次に、図１に示すように、照明器具１２は、例えば直管形蛍光ランプを１本使用する１灯形照明器具であり、構成部品として、天井面などの設置面に取り付けられる器具本体５１、およびこの器具本体５１に取り付けられる反射体５２を有している。
【００４２】
器具本体５１は、断面略コ字形に形成され、長手方向の両端部に取付台５３がそれぞれ取り付けられ、これら取付台５３に図示しないランプソケットが着脱可能に取り付けられる。取付台５３には反射体５２をねじ止めするための係止金具５４が取り付けられている。器具本体５１の中間部にはランプソケットに接続された点灯装置５５や図示しない端子台などが配置されている。
【００４３】
反射体５２は、上面を開口して器具本体５１全体を覆った状態に取付可能とする逆富士形で、同断面形状の反射面５６が形成されており、この反射面５６の長手方向の両端には器具本体５１に取り付けられたランプソケットが突出する図示しないソケット突出孔が形成され、このソケット突出孔の近傍に取付ねじ５７が回転自在に抜け止め係止されている。取付ねじ５７は、反射体５２を器具本体５１に被着した際に取付ねじ５７のねじ山が螺旋状に形成されたねじ軸５８の先端を器具本体５１側の係止金具５４に圧入することで、取付ねじ５７のねじ山が係止金具５４に引っ掛かった状態で仮止め可能とし、その仮止めの後、取付ねじ５７を回動させることで確実に取り付けることができる。
【００４４】
また、緩衝体１４は、複数の照明器具１２の器具本体５１と反射体５２とをそれぞれ包装箱１３の上面の開口部２２に臨む一側域と他側域とに分けて収納させるもので、器具本体用緩衝体６１および反射体用緩衝体６２，６３を有している。
【００４５】
器具本体用緩衝体６１は、図１および図２に示すように、例えばプラスチック製などの繰り返し使用に耐えうる耐久性を有する材質で形成され、器具本体５１の両端近傍であって器具本体５１の両端の取付台５３と中間の点灯装置５５との間にそれぞれ配置される。各器具本体用緩衝体６１は、高さが器具本体５１の高さより高く長方形枠状に形成された枠部６４を有し、この枠部６４の下縁に複数の器具本体５１がそれぞれ嵌合可能とする複数の嵌合部６５が切欠形成されている。器具本体用緩衝体６１は、枠部６４を折り倒すことで、薄形に折畳み可能とする。
【００４６】
反射体用緩衝体６２，６３は、例えばプラスチック製などの繰り返し使用に耐えうる耐久性を有する材質で形成されており、反射面５６が上方へ向く両側の反射体５２の間に反射面５６が下方へ向く反射体５２を配置するもので、すなわち逆富士形の反射体５２が上下面を逆にして互い違いに組み合う状態に配置するもので、これら反射体５２の両端近傍にそれぞれ配置される。
【００４７】
各反射体用緩衝体６２は、上下面を逆にして互い違いに組み合う反射体５２間に介在して配置されるもので、逆富士形の反射面５６の形状に対応して折曲可能に形成されているとともに、取付ねじ５７が入り込む切欠部６６が形成されている。反射体用緩衝体６２は、真っ直ぐに延ばすことで、薄形に折畳み可能とする。
【００４８】
各反射体用緩衝体６３は、１段分の複数の反射体５２の上面にまたがって配置される上面覆い部６７、およびこの上面覆い部６７の両端から両側の反射体５２の側面に配置される側面覆い部６８を有している。反射体用緩衝体６３は、上面覆い部６７と側面覆い部６８とを真っ直ぐに延ばすことで、薄形に折畳み可能とする。
【００４９】
そして、複数の照明器具１２を包装箱１３に収納する場合には、包装箱１３内の一側域に１段目の複数の器具本体５１を配置し、これら器具本体５１の両端近傍に１段目の器具本体用緩衝体６１をそれぞれ配置し、続いて、１段目の器具本体用緩衝体６１上に２段目の複数の器具本体５１をそれぞれ配置し、これら２段目の器具本体５１の両端近傍に２段目の器具本体用緩衝体６１をそれぞれ配置するというようにして、器具本体５１および器具本体用緩衝体６１を複数段に重ねて収納する。
【００５０】
包装箱１３内の他側域に１段目の両側の反射体５２をその反射面５６を上方へ向けて配置し、これら両側の反射体５２の間の両端近傍に反射体用緩衝体６２をそれぞれ配置し、両側の反射体５２の間でかつ両端近傍の反射体用緩衝体６２上に１段目の中間の反射体５２をその反射面５６を下方へ向けて配置し、これら１段目の反射体５２の両端近傍に反射体用緩衝体６３をそれぞれ配置する。続けて、１段目の反射体用緩衝体６３上に２段目の反射体５２および２段目の反射体用緩衝体６２，６３を１段目と同様に配置するというようにして、反射体５２および反射体用緩衝体６２，６３を複数段に重ねて収納する。
【００５１】
各器具本体５１は、器具本体用緩衝体６１の各嵌合部６５に嵌合して位置決め保持され、水平方向に隣り合う器具本体５１が所定の間隔をあけた離反状態で保持されるとともに、上下に重なる器具本体５１が所定の間隔をあけた離反状態で保持される。また、各反射体５２は、これら反射体５２間に介在される反射体用緩衝体６２，６３によって保持される。さらに、器具本体用緩衝体６１と反射体用緩衝体６３とは互いに当接し、包装箱１３内での位置を互いに位置決めする。
【００５２】
そして、複数の照明器具１２を収納した包装箱１３を設置現場に運搬し、この包装箱１３内から照明器具１２を取り出して設置する。例えば、オフィスビルなどの複数の照明器具１２を一度に設置する設置現場においては、まず先に、複数の照明器具１２の器具本体５１のみを包装箱１３から取り出して天井面などの設置面にそれぞれ設置し、その後、包装箱１３から反射体５２を取り出して設置済みの各器具本体５１に対してそれぞれ取り付ける。
【００５３】
照明器具１２を取り出した後の包装箱１３、器具本体用緩衝体６１および反射体用緩衝体６２，６３は、それぞれ折り畳んで回収する。
【００５４】
このように、上面に開口部２２を有する包装箱１３内に、緩衝体１４によって複数の照明器具１２の器具本体５１と反射体５２とをそれぞれ包装箱１３の開口部２２に臨む一側域と他側域とに分けて収納させるため、照明器具１２の設置現場において、包装箱１３内から照明器具１２の必要とする器具本体５１または反射体５２の一方を他方の収納状態のまま取り出すことができ、照明器具１２の設置現場での施工作業性を向上できる。例えば、包装箱１３内に器具本体５１を下側に、反射体５２を上側に重ねて収納していたのでは、上側の反射体５２を取り出してからでないと下側の器具本体５１を取り出すことができない。
【００５５】
さらに、照明器具１２の個別包装の必要がなく、包装箱１３、器具本体用緩衝体６１および反射体用緩衝体６２，６３を折り畳んだ状態で回収できるので、包装コストを低減し、廃材を削減できる。
【００５６】
次に、図５および図６に第２の実施の形態を示し、図５は包装装置による照明器具の包装状態の側面図、図６は包装装置の反射体用緩衝体の斜視図である。
【００５７】
照明器具１２は、２本の直管形蛍光ランプを使用する２灯形照明器具である。器具本体５１の両端に取り付けられた取付台５３の両側にソケット取付部７１が突設され、これら両側のソケット取付部７１にランプソケット７２がそれぞれ取り付けられる。反射体５２は、断面略三角形状の逆富士形に形成され、頂部に取付ねじ５７が配置されている。
【００５８】
緩衝体１４は、複数の照明器具１２の器具本体５１と反射体５２とをそれぞれ包装箱１３の上面の開口部２２に臨む一側域と他側域とに分けて収納させるもので、器具本体用緩衝体７５および反射体用緩衝体７６を有している。
【００５９】
器具本体用緩衝体７５は、上述した第１の実施の形態の器具本体用緩衝体６１と同構造であって、例えばプラスチック製などの繰り返し使用に耐えうる耐久性を有する材質で形成され、器具本体５１の両端近傍であって器具本体５１の両端の取付台５３と中間の点灯装置５５との間にそれぞれ配置される。各器具本体用緩衝体７５は、高さが器具本体５１の高さより高く長方形枠状に形成された枠部７７を有し、この枠部７７の下縁に複数の器具本体５１がそれぞれ嵌合可能とする複数の嵌合部７８が切欠形成されている。器具本体用緩衝体７５は、枠部７７を折り倒すことで、薄形に折畳み可能とする。
【００６０】
反射体用緩衝体７６は、例えばプラスチック製などの繰り返し使用に耐えうる耐久性を有する材質で形成されており、反射面５６が上方へ向く一方の反射体５２と反射面５６が下方へ向く他方の反射体５２とを横に並べて配置するもので、すなわち逆富士形の反射体５２が上下面を逆にして互い違いに組み合う状態に配置するもので、これら反射体５２の両端近傍にそれぞれ配置される。反射体用緩衝体７６は、反射体５２の上面を対向させて配置される載置部７９、この載置部７９の一端から立ち上げられた立上部８０、この立上部８０から折曲されて反射体５２の反射面５６に沿わされる反射面覆い部８１を有している。立上部８０の上端には反射面覆い部８１から切り起こされた突出部８２が突出形成され、反射面覆い部８１には取付ねじ５７が入り込む切欠部８３が形成されている。
【００６１】
そして、複数の照明器具１２を包装箱１３に収納する場合には、包装箱１３内の一側域に１段目の複数の器具本体５１を配置し、これら器具本体５１の両端近傍に１段目の器具本体用緩衝体７５をそれぞれ配置し、続いて、１段目の器具本体用緩衝体７５上に２段目の複数の器具本体５１をそれぞれ配置し、これら２段目の器具本体５１の両端近傍に２段目の器具本体用緩衝体７５をそれぞれ配置するというようにして、器具本体５１および器具本体用緩衝体７５を複数段に重ねて収納する。
【００６２】
包装箱１３内の他側域の両端近傍に１段目の一方の反射体用緩衝体７６の載置部７９をそれぞれ配置し、この反射体用緩衝体７６の載置部７９上に１段目の一方の反射体５２をその反射面５６を上方へ向けて配置し、一方の反射体用緩衝体７６の反射面覆い部８１を一方の反射体５２の反射面５６に沿わせて配置するとともに、１段目の他方の反射体用緩衝体７６の反射面覆い部８１を一方の反射体用緩衝体７６の反射面覆い部８１に付き合わせるようにして一方の反射体５２の反射面５６に沿わせてそれぞれ配置し、両反射体用緩衝体７６の反射面覆い部８１上に１段目の他方の反射体５２をその反射面５６を下方へ向けて配置し、他方の反射体用緩衝体７６の載置部を他方の反射体５２上に被せて配置する。同様にして、反射体５２および反射体用緩衝体７６を複数段に重ねて収納する。
【００６３】
各器具本体５１は、器具本体用緩衝体７５の各嵌合部７８に嵌合して位置決め保持され、水平方向に隣り合う器具本体５１が所定の間隔をあけた離反状態で保持されるとともに、上下に重なる器具本体５１が所定の間隔をあけた離反状態で保持される。また、各反射体５２は、これら反射体５２間に介在される反射体用緩衝体７６によって保持される。
【００６４】
そして、複数の照明器具１２を収納した包装箱１３を設置現場に運搬し、この包装箱１３内から照明器具１２を取り出して設置する。例えば、オフィスビルなどの複数の照明器具１２を一度に設置する設置現場においては、まず先に、複数の照明器具１２の器具本体５１のみを包装箱１３から取り出して天井面などの設置面にそれぞれ設置し、その後、包装箱１３から反射体５２を取り出して設置済みの各器具本体５１に対してそれぞれ取り付ける。
【００６５】
照明器具１２を取り出した後の包装箱１３、器具本体用緩衝体７５および反射体用緩衝体７６は、それぞれ折り畳んで回収する。
【００６６】
このように、上面に開口部２２を有する包装箱１３内に、緩衝体１４によって複数の照明器具１２の器具本体５１と反射体５２とをそれぞれ包装箱１３の開口部２２に臨む一側域と他側域とに分けて収納させるため、照明器具１２の設置現場において、包装箱１３内から照明器具１２の必要とする器具本体５１または反射体５２の一方を他方の収納状態のまま取り出すことができ、照明器具１２の設置現場での施工作業性を向上できる。
【００６７】
さらに、照明器具１２の個別包装の必要がなく、包装箱１３、器具本体用緩衝体７５および反射体用緩衝体７６を折り畳んだ状態で回収できるので、包装コストを低減し、廃材を削減できる。
【００６８】
次に、図７に第３の実施の形態を示し、図７は包装装置による照明器具の包装状態の斜視図である。
【００６９】
照明器具１２は、ダウンライトであって、天井面などの設置面に埋め込み設置される円筒状の器具本体９１を備え、停電時などに非常用電源を供給してランプを点灯させる非常用バッテリ９２を備え、非常用照明器具として構成されている。
【００７０】
緩衝体１４は、複数の照明器具１２の構成部品としての器具本体９１と非常用バッテリ９２とをそれぞれ包装箱１３の上面の開口部２２に臨む一側域と他側域とに分けて収納させるもので、器具本体用緩衝体９３およびバッテリ用緩衝体９４を有している。
【００７１】
器具本体用緩衝体９３およびバッテリ用緩衝体９４は、例えばプラスチック製などの繰り返し使用に耐えうる耐久性を有する材質で形成され、複数の器具本体９１を嵌め込んで保持する複数の保持孔９５が形成された保持板９６、およびこの保持板９６の両側から下方へ折曲された縁部９７を有している。
【００７２】
バッテリ用緩衝体９４は、例えばプラスチック製などの繰り返し使用に耐えうる耐久性を有する材質で形成され、複数の非常用バッテリ９２を嵌め込んで保持する複数の保持孔９８が形成された保持板９９、およびこの保持板９９の両側から下方へ折曲された縁部１００を有している。
【００７３】
そして、複数の照明器具１２を包装箱１３に収納する場合には、包装箱１３内の一側域に１段目の器具本体用緩衝体９３を、他側域に１段目のバッテリ用緩衝体９４をそれぞれ配置し、これら器具本体用緩衝体９３およびバッテリ用緩衝体９４に１段目の複数の器具本体９１および複数の非常用バッテリ９２をそれぞれ配置する。同様に、器具本体用緩衝体９３およびバッテリ用緩衝体９４を用いて、器具本体９１および非常用バッテリ９２を複数段に重ねて収納する。このように、器具本体９１と非常用バッテリ９２とを接続しないで分けることで、非常用バッテリ９２の放電を防止できる。
【００７４】
各器具本体９１および各非常用バッテリ９２は、器具本体用緩衝体９３およびバッテリ用緩衝体９４によって、水平方向に隣り合う器具本体９１および非常用バッテリ９２が所定の間隔をあけた離反状態で保持されるとともに、上下に重なる器具本体９１および非常用バッテリ９２が所定の間隔をあけた離反状態で保持される。
【００７５】
そして、複数の照明器具１２を収納した包装箱１３を設置現場に運搬し、この包装箱１３内から照明器具１２を取り出して設置する。例えば、オフィスビルなどの複数の照明器具１２を一度に設置する設置現場においては、まず先に、複数の照明器具１２の器具本体９１のみを包装箱１３から取り出して天井面などの設置面にそれぞれ設置し、その後、包装箱１３から非常用バッテリ９２を取り出して設置済みの各器具本体９１に対してそれぞれ取り付ける。
【００７６】
照明器具１２を取り出した後の包装箱１３、器具本体用緩衝体９３およびバッテリ用緩衝体９４は、それぞれ折り畳んで回収する。
【００７７】
このように、上面に開口部２２を有する包装箱１３内に、緩衝体１４によって複数の照明器具１２の器具本体９１と非常用バッテリ９２とをそれぞれ包装箱１３の開口部２２に臨む一側域と他側域とに分けて収納させるため、非常用バッテリ９２の放電を防止でき、照明器具１２の設置現場において、包装箱１３内から照明器具１２の必要とする器具本体９１または非常用バッテリ９２の一方を他方の収納状態のまま取り出すことができ、照明器具１２の設置現場での施工作業性を向上できる。
【００７８】
さらに、照明器具１２の個別包装の必要がなく、包装箱１３、器具本体用緩衝体９３およびバッテリ用緩衝体９４を折り畳んだ状態で回収できるので、包装コストを低減し、廃材を削減できる。
【００７９】
次に、図８において、包装装置１１を用いた回収システムを説明する。
【００８０】
照明器具１２の製造会社と、照明器具１２の販売を受け持つ代理店とに大きく分けられる。
【００８１】
製造会社側では、情報センタに代理店側からの照明器具１２の販売情報が入り、情報センタから製造先に照明器具１２の生産指示を出すとともに包装装置１１の員数を管理センタで管理させる。
【００８２】
管理センタでは、包装装置１１の清掃および保管などのメンテナンスや、員数を管理し、製造先からの包装装置１１の出荷要求に対応して、管理センタから包装装置１１を製造先に出荷する。
【００８３】
製造先では、製造した照明器具１２を包装装置１１で包装して倉庫に入れ、倉庫から代理店側を通じて顧客に出荷する。顧客側では、包装装置１１から照明器具１２を取り出して設置する。
【００８４】
顧客側には代理店各営業所から照明器具１２を取り出した後の包装装置１１の回収を要求し、顧客側から代理店各営業所に包装装置１１を回収し、さらに、代理店各営業所から物流倉庫に包装装置１１を集中回収する。
【００８５】
管理センタから物流倉庫に包装装置１１の回収を要求し、物流倉庫から管理センタに包装装置１１を回収する。
【００８６】
このように、包装装置１１を回収し、再利用できるので、包装コストを低減し、廃材を削減できる。
【００８７】
なお、照明器具１２の構成部品としては、器具本体５１，９１、反射体５２、非常用バッテリ９２などに限らず、例えば、セード、グローブ、ルーバ、カバー、点灯ユニット、ランプなどが含まれ、これら構成要素を包装装置１１によって包装することによって上述したのと同様の作用効果が得られる。
【００８８】
また、照明器具１２の３種類以上の構成部品毎に分けるとともに構成部品毎に包装箱１３の上面の開口部２２に臨ませて１つの包装箱１３に収納することもでき、さらに、異なる種類の照明器具１２の構成部品を同様にして１つの包装箱１３に収納することもできる。
【００８９】
また、包装箱１３内に収納する照明器具１２の構成部品の分け方は、包装箱１３の一側域と他側域とに分けるのに限らず、横方向に交互に異なる構成部品を配置して上方から取出可能に重ねるようにしてもよい。
【００９０】
【発明の効果】
請求項１記載の包装装置によれば、開口部を有する包装箱内に、緩衝体によって複数の照明器具をその構成部品毎に分けるとともに構成部品毎に包装箱の開口部に臨ませて収納させるため、照明器具の設置現場において、包装箱内から照明器具の必要とする構成部品を他の構成部品の収納状態のまま取り出すことができ、照明器具の設置現場での施工作業性を向上でき、さらに、照明器具の個別包装の必要がなく、包装コストを低減し、廃材を削減できる。
【００９１】
請求項２記載の包装装置によれば、上面に開口部を有する包装箱内に、緩衝体によって複数の照明器具の器具本体と反射体とをそれぞれ包装箱の開口部に臨む一側域と他側域とに分けて収納させるため、照明器具の設置現場において、包装箱内から照明器具の必要とする器具本体または反射体の一方を他方の収納状態のまま取り出すことができ、照明器具の設置現場での施工作業性を向上でき、さらに、照明器具の個別包装の必要がなく、包装コストを低減し、廃材を削減できる。
【００９２】
請求項３記載の包装装置によれば、上面に開口部を有する包装箱内に、緩衝体によって複数の照明器具の器具本体と非常用バッテリとをそれぞれ包装箱の開口部に臨む一側域と他側域とに分けて収納させるため、非常用バッテリの放電を防止でき、照明器具の設置現場において、包装箱内から照明器具の必要とする器具本体または非常用バッテリの一方を他方の収納状態のまま取り出すことができ、照明器具の設置現場での施工作業性を向上でき、さらに、照明器具の個別包装の必要がなく、包装コストを低減し、廃材を削減できる。
【図面の簡単な説明】
【図１】本発明の第１の実施の形態を示す包装装置による照明器具の包装状態の側面図である。
【図２】同上包装装置の器具本体用緩衝体の斜視図である。
【図３】同上包装装置の包装箱の斜視図である。
【図４】同上包装装置の包装箱を示し、（ａ）は組立状態の断面図、（ｂ）は折畳み途中または組立途中の断面図、（ｃ）は折畳み状態の断面図である。
【図５】本発明の第２の実施の形態を示す包装装置による照明器具の包装状態の側面図である。
【図６】同上包装装置の反射体用緩衝体の斜視図である。
【図７】本発明の第３の実施の形態を示す包装装置による照明器具の包装状態の斜視図である。
【図８】本発明の包装装置を用いた回収システムを説明する説明図である。
【符号の説明】
１１    包装装置
１２    照明器具
１３    包装箱
１４    緩衝体
２２    開口部
５１    構成部品としての器具本体
５２    構成部品としての反射体
９１    構成部品としての器具本体
９２    構成部品としての非常用バッテリ
【図１】
2004168377.tif 000003
【図２】
2004168377.tif 000004
【図３】
2004168377.tif 000005
【図４】
2004168377.tif 000006
【図５】
2004168377.tif 000007
【図６】
2004168377.tif 000008
【図７】
2004168377.tif 000009
【図８】
2004168377.tif 000010